【事件の表示】
　特願２０００−　４８４７３「パチンコ機」拒絶査定不服審判事件〔平成１２年　７月１１日出願公開、特開２０００−１８９５７６〕について、次のとおり審決する。
【結　論】
　本件審判の請求は、成り立たない。
【理　由】
１、手続きの経緯・本願発明
　本願は、平成２年９月１４日に特許出願された特願平２−２４４７９６号の出願の一部を分割して新たな特許出願とした特願平１０−３４６３１４号を、その出願の一部を分割して新たな特許出願とした特願平１１−８４７号を、その出願の一部を分割して新たな特許出願とした特願２０００−１６３７８号を、その出願の一部を分割して新たな特許出願とした特願２０００−４８４７３号の特許出願であって、その請求項に係る発明は、平成１３年１１月１９日付け手続補正書によって全文補正された明細書及び平成１５年１２月８日付けと平成１６年５月７日付けの手続補正書によって補正された明細書並びに出願当初の図面の記載からみて、本願の特許請求の範囲の請求項１乃至２に記載されたとおりのものと認められるところ、その請求項１に記載された発明は、次のとおりのものである。
　【請求項１】可変表示される複数の図柄が所定の組合せとなることを必要条件として大当り状態とされ、その大当り状態の際に開放される入賞装置を備え、その入賞装置に入賞したパチンコ球が入る入賞口の一部を特別入賞口とし、前記入賞装置の開放中に前記入賞口への入賞が一定数検出されると一旦入賞装置を閉じるとともに、前記入賞装置の開放中に前記特別入賞口へ入賞することを条件に前記入賞装置が再度開放されるように構成したパチンコ機において、
　前記特別入賞口と他の入賞口とを区画する仕切片を設け、
　該仕切片の上端よりも下方位置に、前記特別入賞口へのパチンコ球の入賞を規制する規制位置とその規制を解除する解除位置とに切り替えられるストッパーを設け、
　該ストッパーが前記規制位置に配置されると、該ストッパーによって前記特別入賞口へ入賞しようとするパチンコ球を受け止めて前記仕切片とともに当該パチンコ球を停留させるとともに、その停留されたパチンコ球の上部が前記仕切片の上端から突出されるように前記ストッパーの位置を設定し、
　前記入賞装置の開放後、前記一定数よりも少ない所定数のパチンコ球が入賞検出されるまでは前記ストッパーを前記規制位置に配置する一方、前記所定数のパチンコ球が入賞検出されると前記ストッパーを前記解除位置に切り替えるよう構成したことを特徴とするパチンコ機。（以下「本願発明」という）
　　
２、当審の拒絶理由　
　一方、当審において平成１６年２月１９日付けで通知した拒絶の理由の概要は、本願発明は、実願昭６２−５６３９２号（実開昭６３−１６３８７４号）のマイクロフイルム（以下「引用刊行物１」という）及び実公昭６１−３９５１８号公報（以下「引用刊行物２」という）に記載された発明に基づいて当業者が容易に発明をすることができたものであるから、特許法第２９条第２項の規定により特許を受けることができない、というものである。
　
３、刊行物に記載された発明及び本願発明との比較・検討
　引用刊行物１（実願昭６２−５６３９２号（実開昭６３−１６３８７４号）のマイクロフイルム）の
　明細書第４頁第９行−第５頁第１９行には
（ア）、「以下に本考案の実施例を図面に基づいて説明する。まず、第１図は、・・・パチンコ機用入賞装置（以下、単に入賞装置という）の一実施例を示している。・・・その前面上部には、識別情報表示器としてＬＥＤの７セグメントからなる三個の可変表示器３が配されている。・・・下部は入賞口５になつており、この入賞口５は、・・・扉板６によつて塞いだり、開放されたりするようになつている。・・・その扉板６の中央部には、・・・仕切板７，７が・・・対向して立設されており、この仕切板７，７の間には、扉板６が開放位置（第１状態）にあるとき落下したパチンコ球８の貯留が可能となつている。・・・この仕切板７，７で区切られた、その間は、入賞口５のうちの継続入賞口９となつており、パチンコ球８が落下していく通路には、継続入賞検出スイツチ１０が取り付けられ、通過するパチンコ球８を検出するようになつている。継続入賞口９の両側は、入賞口５のうちの通常入賞口１１，１１となつて、それぞれのパチンコ球が落下する通路には９カウントスイツチ１２，１２が取り付けられている。」と、
　明細書第６頁第１９行−第８頁第９行には
（イ）、「第４図は、特定入賞領域部として仕切板７，７の他の実施例であつて、・・・対向した仕切板７，７が扉板６とは別体となつて入賞口５を形成する空間部２３の内壁２４に固着されている。
　第５図は、特定入賞領域部の他の実施例であつて、扉板６の両長辺部のうちのその一側辺部が軸支され、図示省略されているソレノイドに連結されることによつて入賞口５を塞いだり、開放したりするようになつている。特定入賞領域部としては球受部２５が第１図に示すように入賞口５の中央、すなわち継続入賞口９を形成している。球受部２５は、第６図にも示すようにパチンコ球８を保持できるように入れ物のような形状をなして、底部２６と側壁２７と奥壁２８とからなる。・・・ソレノイド３５が励磁した時は、・・・球受部２５を・・・パチンコ球８が落下するような位置にさせ、解磁したときは・・・球受部２５の先端が扉板６の軸支位置に近くなるようにしてパチンコ球８を受け入れ可能としている。」と、
　明細書第８頁第１０行−第１０頁第１４行には
（ウ）、「上記の構成からなる入賞装置１の動作を、はじめに第１図〜第３図に示す実施例から説明する。・・・遊技盤に配設された所定の入賞口に入賞して所定時間が経過した後、可変表示器３の可変表示が停止する。・・・可変表示器３が停止したその表示内容に応じて・・・所定時間だけ扉板６が第１状態として入賞口５を開放する。この間に、パチンコ球８が・・・たまたま、特定入賞領域部としての仕切板７，７の間に転がつていくと、仕切板７，７によつて第３図に示すようにパチンコ球８はそこで停止することになる。・・・そして、扉板６の開放の所定時間が経過すると、・・・扉板６は第２状態として入賞口５を閉じる。この扉板６が閉じる動作の途中で仕切板７，７の間にあるパチンコ球８は、下方へ落下することになり、そのパチンコ球８を継続入賞検出スイツチ１０が入賞検出する。・・・仕切板７，７の間に留まつていたパチンコ球８は、遊技者によつて、継続入賞口９（仕切板７，７の間）から落下して継続入賞検出スイツチ１０で入賞検出されることが確認できる。
　この入賞装置１の構成では、入賞状態の一例として可変表示器３の停止した表示内容によつて扉板６は開放するが、この開放の間に継続入賞検出スイツチ１０が入賞検出をすると、扉板６は一旦閉じて再び所定時間だけ開放することになり、この入賞状態は１０回までである。しかし、この間通常入賞口１１、継続入賞口９を含む入賞口５に１０個のパチンコ球８が入賞すると、この入賞状態は終了する・・・９カウントスイッチ１２，１２の両方によって９個のパチンコ球８を計数測定し、この９個と継続入賞口９に留まつている１個とを足して１０個とするように電気制御している。もしも１個が留まつていなければ入賞個数は９個となる。」と、
　明細書第１０頁第１５行−第１１頁第１２行には
（エ）、「第４図に示す実施例では、仕切板７，７が入賞口５の空間部２３の内壁２４に固着されて、継続入賞口９を形成しているもので、この場合の動作は、前記の実施例と同じである。
　第５図および第６図に示す実施例では、第１図〜第３図に基づいて説明した実施例と同じように可変表示器３の表示内容で扉板６が所定時間だけ入賞口５を開放し、この時、扉板６上にパチンコ球８が落下して継続入賞口９としての球受部２５に向けて転がり、その内部に留まる。そして、所定時間が経過した後、扉板６が入賞口５を閉じると同時に、ソレノイド３５を励磁することによつて球受部２５を傾け、球受部２５内のパチンコ球８を落下させ、継続入賞検出スイツチ１０が入賞検出する。
　なお、識別情報表示器として・・・図柄を表示してもよく、・・・」と、
　明細書第１２頁第３行−第８行には
（オ）、「本考案のパチンコ機用入賞装置は、識別情報表示器の停止した表示内容に応じて扉部材が入賞口を開放するものであつて、この開放した時に入賞した入賞球を留めることができ、時間を経た後、入賞処理するので遊技者が入賞を確認できる。」と、それぞれ記載されている。
　
　したがって、特定入賞領域部の他の実施例として示された第５図及び第６図の構成を採用し、所定時間が経過する前に入賞口への入賞が９個検出される場合を考慮するに、上記（エ）の「ソレノイド３５を励磁することによつて球受部２５を傾け、球受部２５内のパチンコ球８を落下させ、継続入賞検出スイツチ１０が入賞検出する」という事項は、その構成上「球受部に停留したパチンコ球が入賞装置の閉動作時に継続入賞口へ入賞する」と表現できるから，
引用刊行物１には、
　可変表示される三個の図柄が停止したその表示内容に応じて第１状態とされ、その第１状態の際に開放される入賞装置を備え、その入賞装置に入賞したパチンコ球が入る入賞口の一部を継続入賞口とし、前記入賞装置の開放中に前記入賞口への入賞が９個検出されると図示省略されているソレノイドにより一旦入賞装置を閉じるとともに、前記入賞装置の開放中に球受部に停留したパチンコ球が入賞装置の閉動作時に前記継続入賞口へ入賞すると前記入賞装置が再度開放されるように構成したパチンコ機において、
　前記継続入賞口と通常入賞口とを設け、
　入賞口の中央位置に、前記ソレノイドと異なるソレノイドによりパチンコ球を受け入れ可能な位置と落下させる位置とに切り替えられる球受部を設け、
　該球受部が前記受け入れ可能な位置に配置されると、該球受部によって前記継続入賞口へ入賞しようとするパチンコ球を受け止めて当該パチンコ球を停留させるとともに、
　前記入賞装置の開放後、９個のパチンコ球が入賞検出されるまでは前記球受部を前記受け入れ可能な位置に配置する一方、９個のパチンコ球が入賞検出されると前記球受部を前記落下させる位置に切り替えるよう構成したパチンコ機。（以下、「引用発明１」という）が記載されていると認められる。
　
　引用刊行物２（実公昭６１−３９５１８号公報）の
　公報第２頁第３欄第２行−第７行には
（カ）、「打球入賞装置１は、・・・パチンコ機の遊技盤に取付ける・・・内部に打球が入る程度の大きさで上下開放の保留枠５を設ける。」と、
　公報第２頁第４欄第１０行−第３頁第５欄第５行には
（キ）、「上記構成から成る打球入賞装置１に於ては、両可動翼片４，４が閉じた第１状態、即ち・・・停止部材７が保留枠５の出口６を開放しているとき、打球が上方から保留枠５へ入賞すると、該打球は保留枠５を通過して・・・排出口２０から排出して入賞球となる。・・・両可動翼片４，４が回動して打球を受け入れ易い第２状態に変換する。・・・停止部材７が前方へ移動し、保留枠５の出口６を閉塞する。・・・  この状態、即ち保留枠５が空で両可動翼片４，４が開いた第２状態で次の打球が上方から再び保留枠４へ入賞すると、該打球は停止部材７によつて流下を遮られ保留枠５内で停止する。・・・なお、保留枠５を透明部材で構成したり、或いは前面に可視窓２１を設けると、遊技者は保留中の入賞球を見ることができるので、入賞感を継続的に維持することができる。」と、
　公報第３頁第５欄第６行−第３４行には
（ク）、「保留枠５内に上から入つた打球が停止し、両可動翼片４，４が開いた第２状態で次の打球が横方向から可動翼片４に入賞すると、該打球は・・・第１状態に復元した後にポケツト３の底部へ落下し、・・・第２打球通過孔２２から遊技盤の裏側へ排出して入賞球となる。両可動翼片４，４が第１状態に戻ると・・・停止部材７を基板２の裏側へ引き抜き保留枠５の出口６を開放する。
　保留枠５の出口６が開放すると、停止部材７により支持されて保留枠５内で停止していた打球が落下し、・・・両可動翼片４，４を再び第２状態に変換した後、排出口２０から排出し入賞球となる。・・・停止部材７が保留枠５の出口６を再度塞ぐ。
　この状態で打球が再度保留枠５へ入賞すると上記作動を繰り返すが、横方向から可動翼片４へ入賞すると該打球は両可動翼片４，４を回動し、第１状態に復元する。なおこの状態では保留枠５内に打球が無いので再び第２状態に変換することはない。」と記載され、
　また実施例の正面図及び縦断右側面図である第１図乃至第３図には、
（ケ）、「基板２から突出する横断面が略Ｌ字状の左右に２枚の板状体からなる保留枠５の上端よりも下方位置に、停止部材７を設け、停留された打球の上部が保留枠５の上端から突出した状態」が示されている。
　
　したがって、引用刊行物２には、
　左右に２枚の板状体からなる保留枠５の上端よりも下方位置に、可動翼片４への打球の入賞を規制する規制位置とその規制を解除する解除位置とに切り替えられる停止部材７を設け、該停止部材が前記規制位置に配置されると、該停止部材によって前記可動翼片へ入賞しようとする打球を受け止めて前記保留枠とともに当該打球を停留させるとともに、その停留された打球の上部が前記保留枠の上端から突出されるように前記停止部材の位置を設定し、前記可動翼片の開放後、打球が横方向から可動翼片４に入賞するまでは前記停止部材を前記規制位置に配置する一方、前記可動翼片に打球が横方向から入賞すると前記停止部材を前記解除位置に切り替えるよう構成したパチンコ機の打球入賞装置。（以下、「引用発明２」という）が記載されていると認められる。
　
　本願発明と引用発明１とを比較する。
引用発明１の「図柄が停止したその表示内容に応じて第１状態とされ、その第１状態の際に開放される入賞装置」、「継続入賞口」、「９個」、「通常入賞口」、「受け入れ可能な位置」、「落下させる位置」、「球受部」は、本願発明の「図柄が所定の組合せとなることを必要条件として大当り状態とされ、その大当り状態の際に開放される入賞装置」、「特別入賞口」、「一定数」、「他の入賞口」、「規制位置」、「解除位置」、「ストッパー」にそれぞれ相当するから、両者の一致点及び相違点は次のとおりである。
　　
一致点
　可変表示される複数の図柄が所定の組合せとなることを必要条件として大当り状態とされ、その大当り状態の際に開放される入賞装置を備え、その入賞装置に入賞したパチンコ球が入る入賞口の一部を特別入賞口とし、前記入賞装置の開放中に前記入賞口への入賞が一定数検出されると一旦入賞装置を閉じるとともに、前記特別入賞口へ入賞することを条件に前記入賞装置が再度開放されるように構成したパチンコ機において、
　前記特別入賞口と他の入賞口とを設け、
　前記特別入賞口へのパチンコ球の入賞を規制する規制位置とその規制を解除する解除位置とに切り替えられるストッパーを設け、
　該ストッパーが前記規制位置に配置されると、該ストッパーによって前記特別入賞口へ入賞しようとするパチンコ球を受け止めて当該パチンコ球を停留させるとともに、
　前記入賞装置の開放後、前記ストッパーを前記規制位置に配置する一方、パチンコ球が入賞検出されると前記ストッパーを前記解除位置に切り替えるよう構成したパチンコ機。
　
相違点
（Ａ）入賞装置が再度開放されるための条件としての特別入賞口への入賞が、本願発明では、入賞装置の開放中の入賞であるのに対し、引用発明１では、入賞装置の閉動作時の入賞である点
（Ｂ）本願発明では、特別入賞口と他の入賞口とを区画する仕切片を設け、該仕切片の上端よりも下方位置に、ストッパーを設け、該ストッパーによって前記仕切片とともにパチンコ球を停留させるとともに、その停留されたパチンコ球の上部が前記仕切片の上端から突出されるように前記ストッパーの位置を設定したのに対し、引用発明１では、入賞口の中央位置にストッパーを設け、パチンコ球を受け止めて当該パチンコ球を停留させるようにした点
（Ｃ）入賞装置の開放後、ストッパーの規制位置から解除位置への切り替えが、本願発明では、一定数よりも少ない所定数のパチンコ球が入賞検出されると行われるのに対し、引用発明１では、一定数のパチンコ球が入賞検出されると行われる点
　
　そこで、上記相違点について検討する。
相違点（Ａ）について
　入賞装置の開放中に特別入賞口へ入賞するものは、例えば、特開昭６４−３２８８２号公報（公報第４頁左上欄第１８行−右上欄第１７行、公報第１１頁右上欄第１行−第７行、並びに図面，特に第３、１５図の記載を考慮すると、「開閉翼片２０ａ、２０ｂの開閉動作時にＶポケット入賞口２４に入賞すると開閉翼片の開閉動作が継続される」ことが記載されていると認められる），特開昭６３−２４９５９３号公報（公報第５頁右上欄第９行−左下欄第２０行には、「大入賞口２の開閉動作中にＶ入賞口１３に入賞すると大入賞口２の開閉動作が継続される」ことが記載されていると認められる）のように周知・慣用の技術である。ここで、引用発明１は、ストッパーを駆動するソレノイドと入賞装置を開閉するソレノイドとを個別に設けたものであるから、これらの駆動時期を前後させるのみで、ストッパーを駆動するソレノイドを先に作動させて入賞装置の開放中に特別入賞口へ入賞させることが可能となるから、相違点（Ａ）に記載された構成とすることは当業者が容易になし得ることである。
　
相違点（Ｂ）について
　特別入賞口と他の入賞口とを区画する仕切片を設けることは、引用刊行物１において上記（イ）及び第４図に示すように仕切板７として記載されている。
　また、引用発明２の停止部材７は、上記（キ）乃至（ケ）の記載からみて、本願発明のストッパーに相当するものと認められる。
　そして、引用刊行物１及び２に記載された技術は、「入賞口へのパチンコ球の入賞を規制するストッパー」に関する技術において共通しているからこれらの技術を組み合わせ、相違点（Ｂ）に係る構成とすることは当業者が容易になし得ることである。
　
相違点（Ｃ）について
　パチンコ球の入賞口への入賞数について、特別入賞口への入賞を規制する部材の規制位置から解除位置への切り替えを行う入賞数が、一旦入賞装置を閉じるための一定の入賞数よりも少ない数であるものは、例えば、特開昭６４−３２８８２号公報（公報第５頁左上欄第１３行−第１６行、公報第１０頁左上欄第１５行−左下欄第２行、他の実施例としての公報第１２頁右下欄第１７行−第１９行及び公報第１３頁左上欄第１５行−第２０行、並びに図面，特に第１４−１５図のそれぞれの記載を総合的に考慮すると、「６球入賞すると揺動板２８が緩傾斜から急傾斜とされ、１０球入賞すると可変入賞球装置６を閉じる」ことが記載されていると認められる），特開昭６３−２４９５９３号公報（公報第４頁左下欄第１９行−右下欄第４行、公報第５頁左上欄第９行−第１７行、公報第５頁右上欄第９行−左下欄第４行のそれぞれの記載を総合的に考慮すると、「６球入賞すると開閉蓋２０が引き込み、１０球入賞すると大入賞口２を閉じる」ことが記載されていると認められる）のように周知・慣用であるから、これらの技術を適用し、相違点（Ｃ）に係る構成とすることは、当業者が容易になし得ることである。
　
　また、本願発明の効果について、引用刊行物１及び２においても上記（オ）及び（キ）に記載のように「遊技者が入賞を確認できる」ものであり、また、「ストッパーにパチンコ球が停留されていなくても特別入賞口への入賞可能性を確保することができるため、停留がない場合においても遊技者の興趣が低下することがない」ことは、上記の周知・慣用技術においても同じであるから、本願発明に格別のものは認められない。
　
　したがって、本願の請求項１に係る発明は、引用刊行物１及び２に記載された発明、並びに周知・慣用技術に基づいて当業者が容易になし得たものであるから、特許法第２９条第２項の規定により、特許を受けることができない。
　
　よって、結論のとおり審決する。